(57)【要約】【課題】共通の一種の光源を用いるシンプルな構造で照光機能と殺菌機能とを達成することができる小形で安価なエレベータの操作ボタン装置を提供する。【解決手段】操作ボタン装置６は、エレベータを利用する乗客が手で触れて操作するボタントップ１２と、ボタントップ１２に対する操作に応じて動作するスイッチ素子２１と、ボタントップ１２の裏面側にそのボタントップ１２と対向して設けられた紫外線発光ダイオード２２とを備えている。乗客がボタントップ１２を手で操作すると、スイッチ素子２１が動作し、その信号に基づく制御盤による制御で紫外線発光ダイオード２２が点灯し、この点灯によりボタントップ１２に紫外線が照射され、この紫外線の照射でボタントップ１２が殺菌され、かつ照光される。【選択図】    図３
2011143994.tif 000002
【特許請求の範囲】
【請求項１】
人が手で触れて操作するボタントップと、
前記ボタントップに対する操作に応じて動作するスイッチ素子と、
紫外線の放射が可能で、前記スイッチ素子の動作に応じて点灯することにより、前記ボタントップを照光し、かつ前記ボタントップに紫外線を照射して殺菌することが可能な光源と、
を具備することを特徴とするエレベータの操作ボタン装置。
【請求項２】
前記ボタントップは透光性材料で形成され、かつ蛍光材が混入されていることを特徴とする請求項１に記載のエレベータの操作ボタン装置。
【請求項３】
ボタン枠と、
前記ボタン枠の内側に配置され、人が手で触れて操作するボタントップと、
前記ボタントップに対する操作に応じて動作するスイッチ素子と、
紫外線の放射が可能で、前記スイッチ素子の動作に応じて点灯することにより、前記ボタン枠を照光し、かつ前記ボタントップに紫外線を照射して殺菌することが可能な光源と、
を具備することを特徴とするエレベータの操作ボタン装置。
【請求項４】
前記ボタン枠は透光性材料で形成され、かつ蛍光材が混入されていることを特徴とする請求項３に記載のエレベータの操作ボタン装置。
【請求項５】
導光材料で形成されたボタン枠と、
前記ボタン枠の内側に配置され、人が手で触れて操作するボタントップと、
前記ボタントップに対する操作に応じて動作するスイッチ素子と、
紫外線の放射が可能で、前記スイッチ素子の動作に応じて点灯することにより、前記導光材料からなるボタン枠を通して前記ボタントップの表面に紫外線を照射して前記ボタントップの表面を照光し、かつ殺菌することが可能な光源と、
を具備することを特徴とするエレベータの操作ボタン装置。
【請求項６】
前記ボタントップの表面には蛍光材によるコーティング膜が施されていることを特徴とする請求項５に記載のエレベータの操作ボタン装置。
【発明の詳細な説明】
【技術分野】
【０００１】
この発明は、エレベータを利用する際に乗客が操作するエレベータの操作ボタン装置に関する。
【背景技術】
【０００２】
エレベータが設置された建屋の各階のエレベータホールにはホール操作盤が設けられている。そしてこのホール操作盤に、エレベータのかごの呼びを登録するための操作ボタンが配設されている。また、エレベータのかご内にはかご操作盤が設けられている。そしてこのかご操作盤にかごの行先階を登録するための操作ボタンやドアの開閉用の操作ボタンが配設されている。
【０００３】
エレベータを利用する乗客は、まずエレベータホールにおいてかご呼び用の操作ボタンを手で操作してかご呼びを登録し、かごがそのエレベータホールに到着して着床した後に、そのかごに乗り込み、行先階用の操作ボタンを手で操作し、さらに必要に応じてドア開閉用の操作ボタンを操作する。
【０００４】
この種の操作ボタンは、乗客が手で触れて操作するボタントップを有し、このボタントップが透光性を有する合成樹脂などで形成されている。そして、このボタントップの裏面側に光源が設けられ、ボタントップを操作したときにその光源が点灯し、その光でボタントップが明るく照光され、操作の完了が表示される。
【０００５】
ところで、このような操作ボタンは、不特定多数の乗客が一日中、頻繁に手で触れて操作することになる。このため、この操作ボタンを介して病原菌が感染する懸念があり、したがって衛生管理上、常時清潔に保つことが望まれる。
【０００６】
そこで、特表２００８−５１３３１５公報（特許文献１）では、操作ボタンの手で触れる接触面に放射線活性殺菌剤をコーティングし、この放射線活性殺菌剤にレーザ光源などの放射線源により放射線を照射し、殺菌剤を活性化して操作ボタンの接触面を清潔に保つようにした技術が提案されている。
【先行技術文献】
【特許文献】
【０００７】
【特許文献１】特表２００８−５１３３１５号公報
【発明の概要】
【発明が解決しようとする課題】
【０００８】
しかしながら、引用文献１には、操作ボタンのボタントップの裏面側に放射線源を配置させることが開示されているだけであり、したがってボタントップ照光用の光源をもつ操作ボタンにこの文献１の構造を適用するとなると、ボタン装置に放射線源としての光源と、照光用の光源とを組み込まなければならず、構造が複雑となり、ボタン装置全体の形状や厚さが大きくなり、またコストも高くなる。
【０００９】
この発明はこのような点に着目してなされたもので、その目的とするところは、共通の一種の光源を用いるシンプルな構造で照光機能と殺菌機能とを達成することができる小形で安価なエレベータの操作ボタン装置を提供することにある。
【課題を解決するための手段】
【００１０】
このような目的を達成するために、請求項１の発明は、人が手で触れて操作するボタントップと、前記ボタントップに対する操作に応じて動作するスイッチ素子と、紫外線の放射が可能で、前記スイッチ素子の動作に応じて点灯することにより、前記ボタントップを照光し、かつ前記ボタントップに紫外線を照射して殺菌することが可能な光源とを具備することを特徴としている。
【００１１】
請求項２の発明は、前記ボタントップが透光性材料で形成され、かつ蛍光材が混入されていることを特徴としている。
【００１２】
請求項３の発明は、ボタン枠と、前記ボタン枠の内側に配置され、人が手で触れて操作するボタントップと、前記ボタントップに対する操作に応じて動作するスイッチ素子と、紫外線の放射が可能で、前記スイッチ素子の動作に応じて点灯することにより、前記ボタン枠を照光し、かつ前記ボタントップに紫外線を照射して殺菌することが可能な光源とを具備することを特徴としている。
【００１３】
請求項４の発明は、前記ボタン枠が透光性材料で形成され、かつ蛍光材が混入されていることを特徴としている。
【００１４】
請求項５の発明は、導光材料で形成されたボタン枠と、前記ボタン枠の内側に配置され、人が手で触れて操作するボタントップと、前記ボタントップに対する操作に応じて動作するスイッチ素子と、紫外線の放射が可能で、前記スイッチ素子の動作に応じて点灯することにより、前記導光材料からなるボタン枠を通して前記ボタントップの表面に紫外線を照射して前記ボタントップの表面を照光し、かつ殺菌することが可能な光源とを具備することを特徴としている。
【００１５】
請求項６の発明は、前記ボタントップの表面に蛍光材によるコーティング膜が施されていることを特徴としている。
【発明の効果】
【００１６】
この発明によれば、共通の一種の光源を用いるシンプルな構造で照光機能と殺菌機能とを達成することができる小形で安価なエレベータの操作ボタン装置を提供することができる。
【図面の簡単な説明】
【００１７】
【図１】この発明の第１の実施形態を示すエレベータホールの外観斜視図。
【図２】第１の実施形態における操作ボタン装置の正面図。
【図３】第１の実施形態における操作ボタン装置の断面図。
【図４】第２の実施形態における操作ボタン装置の断面図。
【図５】第３の実施形態における操作ボタン装置の断面図。
【図６】エレベータのかごの内部の外観斜視図。
【発明を実施するための形態】
【００１８】
以下、この発明の実施の形態について図面を参照して説明する。
【００１９】
図１にはこの発明の第１の実施形態に係るエレベータホールの外観斜視図を示してある。図１に示すように、エレベータホール１の壁面には、三方枠２を備えるエレベータ乗降口３が設けられている。エレベータ乗降口３にはホールドア装置４が設けられ、このホールドア装置４は例えば一対のドアパネル４ａ，４ｂを備える両開き式で、その一対のドアパネル４ａ，４ｂが左右に移動することで乗降口３が開閉される。
【００２０】
エレベータホール１の壁面には、三方枠２の一側部に隣接してホール操作盤５が設けられ、このホール操作盤５にかご呼び登録用の２つの操作ボタン装置６が配設されている。
【００２１】
一方の操作ボタン装置６は上階用で、他方の操作ボタン装置６は下階用である。また、７はかご位置表示パネルである。
【００２２】
２つの操作ボタン装置６は同じ構造に構成されており、図２その正面図を、図３にその断面図を示してある。ホール操作盤５はフェースプレート１０を有し、このフェースプレート１０に開口１１が形成されている。開口１１内にはボタントップ１２及びボタン枠１３が装着されている。ボタントップ１２はボタン枠１３の内側に配置され、ボタントップ１２の周囲がボタン枠１３で囲まれている。
【００２３】
ボタン枠１３の前面側の周縁部は、その内側に突出してボタントップ１２の表面側の周縁部に重なる突部１３ａとなっている。ボタントップ１２の裏面には操作板１５が取り付けられ、この操作板１５の裏面中央部に操作子１５ａが一体に突出形成されている。ボタントップ１２及び操作板１５はそれぞれ透光性を有する合成樹脂材料で形成され、さらにボタントップ１２には蛍光材１６が混入されている。
【００２４】
フェースプレート１０の裏面には、ボタントップ１２及びボタン枠１３を覆うようにフレーム１９が取り付けられている。このフレーム１９の内面には回路基板２０が取り付けられ、この回路基板２０にスイッチ素子２１が組み付けられている。スイッチ素子２１は操作板１５の操作子１５ａと対向するように回路基板２０に取り付けられている。
【００２５】
さらに回路基板２０には、紫外線の放射が可能な光源としての紫外線発光ダイオード２２が取り付けられている。紫外線発光ダイオード２２はボタントップ１２と対向して回路基板２０に取り付けられている。紫外線発光ダイオード２２は１つであっても複数であってもよい。図では複数としてある。回路基板２０は、エレベータの運行を管理する制御盤（図示せず）に接続されている。
【００２６】
ボタントップ１２はボタン枠１３の内側に摺動可能に嵌合され、その厚さ方向に移動することが可能となっている。ボタントップ１２の操作板１５とフレーム１９との間には弾性部材としてのスプリング２３が設けられ、このスプリング２３によりボタントップ１２が回路基板２０から離間する方向に弾性的に付勢され、この付勢力でボタントップ１２の周縁部がボタン枠１３の突部１３ａに当接して位置決めされている。
【００２７】
次に、作用について説明する。
【００２８】
エレベータを利用するときには、エレベータホール１において乗客が操作ボタン装置６を操作してかご呼びの登録を行なう。すなわち、乗客がボタントップ１２の表面に手を当ててそのボタントップ１２をスプリング２３に抗して押し込む。この押し込みにより操作子１５ａがスイッチ素子２１に当接し、この当接でスイッチ素子２１がオンし、その信号が制御盤に出力される。そして、この信号に基づいて制御盤による制御で操作ボタン装置６の紫外線発光ダイオード２２が点灯する。
【００２９】
紫外線発光ダイオード２２が点灯すると、紫外線発光ダイオード２２からボタントップ１２に向けて紫外線が放射され、この紫外線によりボタントップ１２が殺菌される。
【００３０】
また、蛍光材１６を含むボタントップ１２に紫外線が放射されることで、ボタントップ１２が明るく光り、これによりかご呼びの登録完了が乗客に報知される。
【００３１】
かご呼びの登録が完了した後に、そのエレベータホール１にかごが到着して着床し、そのかごに乗客が乗り込む。そして、ホールドア装置４が閉じると、制御盤による制御で紫外線発光ダイオード２２が消灯し、さらにかごが目的の行先階に向って移動する。
【００３２】
このように、ボタントップ１２を手で操作するたびに、紫外線発光ダイオード２２が点灯してボタントップ１２が殺菌され、かつ照光される。ボタントップ１２は一日中、頻繁に操作されることが多く、したがって繰り返して殺菌され、その殺菌作用で常時衛生的に保たれ、ボタントップ１２を介する病原菌の感染を的確に防止することができる。
【００３３】
紫外線発光ダイオード２２から放射される紫外線はボタントップ１２に入射するが、ボタントップ１２には蛍光材１６が混入されており、このためボタントップ１２に入射した紫外線がその蛍光材１６により吸収される。このため、ボタントップ１２の表面からはほぼ可視光線のみが出射し、ボタントップ１２を操作する乗客に紫外線が当ることはほとんどなく、紫外線による人体への影響を防止することができる。
【００３４】
紫外線発光ダイオード２２はボタントップ１２を殺菌する機能と、ボタントップ１２を照光する機能とを兼ね備え、このため操作ボタン装置６内にはその共通する一種の紫外線発光ダイオード２２を組み込むだけでよく、したがって操作ボタン装置６の全体をシンプルな小形で安価な構造に構成することができる。
【００３５】
図４には第２の実施形態を示してある。この実施形態における操作ボタン装置６においては、ボタントップ１２が非透光性材料で形成され、ボタン枠１３が透光性材料で形成され、このボタン枠１３に蛍光材２４が混入されている。なお、他の構成部分は前記第１の実施形態と同様となっている。
【００３６】
この場合には、紫外線発光ダイオード２２の点灯によりボタントップ１２及びボタン枠１３に向けて紫外線が放射される。そしてボタントップ１２に紫外線が放射されることでこのボタントップ１２が殺菌され、蛍光材２４を含むボタン枠１３に紫外線が放射されることでこのボタン枠１３が明るく光り、かご呼びの登録完了が乗客に報知される。
【００３７】
図５には第３の実施形態を示してある。この実施形態における操作ボタン装置６においては、ボタントップ１２が非透光性材料で形成され、その表面に蛍光材によるコーティング膜２５が施されている。そして、ボタン枠１３は、光を導いて拡散させることが可能なアクリル樹脂やガラスなどの導光材料で形成されている。なお、他の構成部分は前記第１の実施形態と同様となっている。
【００３８】
この場合には、紫外線発光ダイオード２２の点灯により放射される紫外線が導光材料からなるボタン枠１３に入射し、この紫外線がボタン枠１３の突部１３ａからボタントップ１２の表面に向けて拡散照射され、この紫外線の照射でボタントップ１２が殺菌される。そしてボタントップ１２の表面には蛍光材によるコーティング膜２５が施されているから、紫外線の照射によりボタントップ１２の表面が明るく光り、かご呼びの登録完了が乗客に報知される。
【００３９】
特にこの第３の実施形態では、乗客の手が頻繁に触れるボタントップ１２の表面に紫外線が直接照射されてその表面が有効に殺菌されるため、より高い衛生状態を保つことができる。
【００４０】
図６には、乗客が乗るかご３０の内部の外観斜視図を示してある。かご３０は、前面に出入口３１を、天井部に照明装置３２を有し、出入口３１にかごドア装置３３が設けられている。かごドア装置３３は一対のドアパネル３３ａ，３３ｂを備える両開き式で、その一対のドアパネル３３ａ，３３ｂが左右に移動することで出入口３１が開閉される。
【００４１】
かご１の前面側の壁面には、出入口３１と隣接してかご操作盤３５が設けられ、このかご操作盤３５のフェースプレート１０に行先階登録用の操作ボタン装置３６やドア開閉用の操作ボタン３７が配設されている。なお、３８はかご位置表示パネルである。
【００４２】
かご３０に乗った乗客は、行先階登録用の操作ボタン装置３６を操作して行先階の登録を行ない、さらにドア開閉用の操作ボタン装置３７を操作してかごドア装置３３を閉じる。これに応じてかご３０が登録された行先階に向って移動する。
【００４３】
このようなかご３０に設けられる操作ボタン装置３６，３７においても、前記第１〜第３の実施形態と同様の構造に構成することで、その各ボタントップ１２を殺菌し、かつ照光することが可能である。
【００４４】
また、かご３０の場合においては、図６に示すように、かご３０の天井部の照明装置３２に紫外線発光ダイオード４０を組み込み、この紫外線発光ダイオード４０から各操作ボタン装置３６，３７におけるボタントップ１２の表面に紫外線を照射してその各ボタントップ１２を殺菌し、かつ照光するような構成とすることも可能である。
【００４５】
なお、以上の説明では、各操作ボタン装置をボタントップを手で押し込むことでスイッチ素子を動作させる押し込み式としたが、ボタントップをタッチパネルで構成し、そのボタントップに手を触れるだけでスイッチ素子が動作するタッチパネル式のボタン装置においてもこの発明を同様に適用することが可能である。
【符号の説明】
【００４６】
１…エレベータホール
３…エレベータ乗降口
５…ホール操作盤
６…操作ボタン装置
１０…フェースプレート
１２…ボタントップ
１３…ボタン枠
１６…蛍光材
２１…スイッチ素子
２２…紫外線発光ダイオード
２４…蛍光材
２５…蛍光材のコーティング膜
３０…かご
３５…かご操作盤
３６．３７…操作ボタン装置
【図１】
2011143994.tif 000003
【図２】
2011143994.tif 000004
【図３】
2011143994.tif 000005
【図４】
2011143994.tif 000006
【図５】
2011143994.tif 000007
【図６】
2011143994.tif 000008